(57)【特許請求の範囲】
【請求項１】
車両に取り付け可能なデジタルナンバープレートであって、前記デジタルナンバープレートは、ディスプレイと、無線通信システムと内部の盗難ステータスインジケータとの両方とを有する、前記デジタルナンバープレートと、
前記デジタルナンバープレートに取り付けられた第１のロッキング素子と、
前記車両に取り付けられ、前記第１のロッキング素子と噛み合わせ可能な第２のロッキング素子と
を含み、
前記第１及び前記第２のロッキング素子の解き放しは、無線盗難通信信号と前記内部の盗難ステータスインジケータの内の少なくとも１つを誘発する、
デジタルナンバープレート盗難防止システム。
【請求項２】
前記第１及び前記第２のロッキング素子は、電気機械的に作動可能なラッチを更に含む、請求項１に記載のデジタルナンバープレート盗難防止システム。
【請求項３】
前記第１及び前記第２のロッキング素子は、ペアリング可能なＲＦＩＤタグとリーダとを更に含む、請求項１に記載のデジタルナンバープレート盗難防止システム。
【請求項４】
前記第１及び前記第２のロッキング素子は、ホール効果センサと磁気材料とを更に含む、請求項１に記載のデジタルナンバープレート盗難防止システム。
【請求項５】
前記第１及び前記第２のロッキング素子は、埋め込みセキュアエレメントチップとチップリーダとを更に含む、請求項１に記載のデジタルナンバープレート盗難防止システム。
【請求項６】
前記第１及び前記第２のロッキング素子の解き放しは、生体認証を更に含む、請求項１に記載のデジタルナンバープレート盗難防止システム。
【請求項７】
前記第１及び前記第２のロッキング素子は、機械的にインターロックされる、請求項１に記載のデジタルナンバープレート盗難防止システム。
【請求項８】
前記第１及び前記第２のロッキング素子の解き放しは、ユーザ定義の入力クレデンシャルを更に必要とする、請求項１に記載のデジタルナンバープレート盗難防止システム。
【請求項９】
前記第１及び前記第２のロッキング素子の解き放しは、生体認証を更に必要とする、請求項１に記載のデジタルナンバープレート盗難防止システム。
【請求項１０】
前記第１及び前記第２のロッキング素子の解き放しは、スマートフォンの認証を更に必要とする、請求項１に記載のデジタルナンバープレート盗難防止システム。
【請求項１１】
前記内部の盗難ステータスインジケータを誘発することは、前記デジタルナンバープレートを無効にするように作動する、請求項１に記載のデジタルナンバープレート盗難防止システム。
【請求項１２】
前記内部の盗難ステータスインジケータを誘発することは、前記ディスプレイ上に盗難警告を提供するように作動する、請求項１に記載のデジタルナンバープレート盗難防止システム。
【請求項１３】
前記無線盗難通信信号を誘発することは、デジタルナンバープレートの盗難及び無効化の指標を車両の所有者、車両の使用者、及び政府当局の内の少なくとも１つに提供する、請求項１に記載のデジタルナンバープレート盗難防止システム。
【請求項１４】
前記無線盗難通信信号を誘発することは、デジタルナンバープレートの地理的位置を車両の所有者、車両の使用者、及び政府当局の内の少なくとも１つに提供する、請求項１に記載のデジタルナンバープレート盗難防止システム。
【請求項１５】
前記第１及び前記第２のロッキング素子の解き放しは、前記無線盗難通信信号と前記内部の盗難ステータスインジケータとの両方を誘発する、請求項１に記載のデジタルナンバープレート盗難防止システム。
【発明の詳細な説明】
【技術分野】
【０００１】
［関連出願］
この出願は、２０１７年１月５日に出願の米国仮特許出願整理番号６２／４４２，７２７及び２０１７年８月１８日出願の米国仮特許出願整理番号６２／５４７，５９４の利益を主張する。該出願は、全ての目的のため参照により本明細書に組み込まれる。
【０００２】
本開示は、車両に搭載の外部ディスプレイに関し、より詳細には、様々な物理的でデジタルの盗難防止機構を有するデジタルナンバープレート（digital license plate）に関
する。
【背景技術】
【０００３】
車両に対するナンバープレート又は登録ステッカーの盗難は、よくある問題である。盗難されたナンバープレートは、犯罪活動に使用された車両の所有権を隠すため、及び交通又は料金所のカメラによる交通違反者の識別を阻むために使用され得る。アフターマーケットの一般的な一解決策は、車両のナンバープレートに対する所有ロッキング機構又はフレームを頼りにする。より一層簡単な解決策は、ナンバープレートを貼り付けるために、トルクス又はその他の非一般的なねじタイプを使用する。
【０００４】
ナンバープレートのデジタルの代替品も存在する。車両データを創出、格納、及び処理するための可能性のある一装置は、車両の識別及び登録情報を提示し、且つ車両の外部に配置され得る動的ディスプレイと組み合わせて利用可能である。例えば、ＲｅｖｉｖｅｒＭＸに共に譲渡された米国特許９，００７，１９３及び承認待ちの公開米国特許出願ＵＳ２０１３０００６７７５は、デジタルナンバープレートの使用によって車両の識別及び登録情報の更新可能性を改善する動的ディスプレイを説明する。それらの参照文献で説明される一実施形態では、盗難車両を示すためにディスプレイを作動するための様々なモードが利用可能である。
【０００５】
残念ながら、従来のナンバープレートのように、未認証で違法な使用のためにデジタルナンバープレートを取り去ることが可能である。盗難を思いとどまらせ、又はデジタルナンバープレートの違法な使用を阻むシステム及び機構は、デジタルナンバープレートの政府及び社会の受容性を増加させるであろう。
【図面の簡単な説明】
【０００６】
本開示の非限定的で非包括的な実施形態は、後続の図を参照しながら説明され、ここで、類似の参照番号は、別段の定めがない限り、様々な図を通じて同様の部分を指す。
【０００７】
【図１】デジタルナンバープレートシステムの一実施形態を説明する。
【図２】デジタルナンバープレートシステム内の様々なシステムを説明する。
【図３】デジタルナンバープレートシステムの動作を説明する。
【図４】盗難防止機構を描く。
【図５】通信メッセージを描く。
【図６】警告メッセージを描く。
【図７】未認証のデバイス切断時にとられるステップを示す方法と関連付けられるフロー図を描く。
【図８】ロッキング位置でのセンサシステムの位置付けを説明する。
【図９】動作方法の一実施形態を説明する。
【発明を実施するための形態】
【０００８】
図１は、車両の識別及び登録情報を提示し、車両１０の外部に配置され得る動的ディスプレイをサポートするデジタルナンバープレートシステム１１の一実施形態を説明する。システム１０は、ディスプレイ１１０、車両速度センサ１２０、及び車両速度センサ１２０に結合されたプロセッサ１３０を含む、車両１０の外部での使用のためのディスプレイシステム１００を含む。プロセッサ１３０は、車両１０の速度及び状態に基づいて、ディスプレイシステム１００の３つの動作モードの内の１つを実行するように構成され、該３つの動作モードは、車両１０の識別情報及び／又は車両１０の登録情報を含む第１のコンテンツが第１の電力消費レベルにおいてディスプレイ１１０上に描写される第１の動作モード；メッセージ、車両１０の識別情報、及び／又は車両１０の登録情報を含む第２のコンテンツがディスプレイ１１０上に描写される第２の動作モード；並びに、第１の電力消費レベルよりも少ない第２の電力消費レベルにおいてコンテンツがディスプレイ１１０上に描写される第３の動作モードである。ディスプレイシステム１００は、好ましくは、コンテンツ（例えば、更新された識別情報、登録情報、及び／又はメッセージ）がディスプレイシステム１００との間で転送されることを可能にする通信デバイス１４０をも含む。ディスプレイシステム１００は、位置センサ１６０、例えば、グローバルポジショニングシステム（ＧＰＳ）デバイス、セルラー基地局位置三角測量デバイス、又はディスプレイ１１０が配置された車両１０の位置を判定する任意のその他の適切な位置センサをも含み得る。位置センサ１６０は、車両の実質的に概略的な位置又は実質的に正確な位置を提供し得る。また、ディスプレイシステム１００は、コンテンツを格納するように機能するストレージデバイス１５０を含み得、プロセッサ１３０は、ストレージデバイス１５０からコンテンツを検索し得、それをディスプレイ１１０上に描写し得る。ディスプレイシステム１００は、車両１０の第２の車両への近接を判定するセンサを更に含み得る。
【０００９】
デジタルナンバープレートシステム１１は、好ましくは、私用車、トラック、オートバイ、レンタカー、社用車、又は任意のその他の適切なタイプの車両等の登録車両に使用される。ディスプレイシステム１００は、好ましくは自動車部門（ＤＭＶ）等の職権により提供される車両１０の識別及び／又は登録情報を描写するように機能する。好ましくは、プロセッサ１２０は、表示領域のサイズ及び寸法、情報のコンテンツ、サイズ、及び書体、並びにディスプレイ１１０の視認性及び反射性等の州車両コード（state vehicle code）に準拠するように、車両１０の識別及び／又は登録情報をディスプレイ１１０上に描写する。好ましくは、プロセッサ１２０は、車両１０が登録された州の州車両コードに準拠するように、コンテンツをディスプレイ１１０上に描写し、或いは、（ＧＰＳデバイス等の）位置センサを組み込む発明の実施形態等では、プロセッサ１２０は、車両が位置する州の州車両コードに準拠するように、コンテンツをディスプレイ１１０上に描写し得る。ディスプレイシステム１００は、好ましくは、車両の識別及び／又は登録情報に加えてメッセージを表示するように機能する。メッセージは、好ましくは、広告主、例えば、ユーザに実質的に無関係な広告主により提供される。広告主により提供される広告の主題は、車両１０の運転者及び／又は所有者に実質的に無関係であり得、広告は、車両１０に実質的に無関係であり得る。或いは、広告は、車両１０の運転者及び／又は所有者が属する層、又は車両１０の運転者及び／又は所有者の任意のその他の適切な特徴に関連し得る。広告はまた、例えば、パーソナルコンピュータ上のインターネットを介して、インターネット対応の携帯電話上のインターネットを介して、又は任意のその他の適切な方法を介して、車両１０の運転者及び／又は所有者により選択可能であり得る。広告はまた、車両１０に実質的に関連し得、例えば、ポルシェに搭載されたディスプレイシステムは、ポルシェに向けたブランドアフィニティを有する層を対象とした広告を表示し得る。広告は、車両１０の位置に実質的に関連し得、例えば、車両１０が会場の近隣内を走行している場合に、会場に対する広告が示され得る。或いは、メッセージは、法執行機関、例えば、行方不明者に関する緊急放送（例えば、アンバー又はエルダーアラート）により提供され得る。更に、車両１０の盗難が報告された場合、メッセージは、車両１０が盗難されたことを示
し得、それ故、車両の外部の関係者が車両１０をそうしたものとして識別することを可能にする。
【００１０】
或いは、メッセージは、任意の適切なタイプのメッセージであり得、任意の適切な関係者、例えば、公的組織（例えば、ＤＭＶ）、車両１０の運転者、車両１０の所有者、車両１０に無関係の第三者、又は任意のその他の適切な関係者によって制御され得る。第１の例では、メッセージは、車両１０のモデル、車両１０のスモッグチェック結果、車両１０のメンテナンス問題、又は車両１０に関連する任意のその他の適切なタイプの情報を含む、車両１０に関連する付加的な細目を含み得る。第２の例では、メッセージは、運転者がサポート又は属する組織（例えば、ガールスカウト、サンフランシスコジャイアンツ野球チーム、又は政党）、運転者がサポートする運動（例えば、動物の倫理的扱いを求める人々の会（ＰＥＴＡ）、又は癌啓発）、運転者の層、又は運転者に関連する任意のその他の適切なタイプの情報を含む、車両１０の運転者に関連する細目を含み得る。この第２の例では、メッセージは、運転者に関する職務上の細目をも含み得、例えば、メッセージは、運転者が医師又は法執行官であることを示し得、車両１０の外の人々が運転者のサービスを要望する場合に運転者に直接リクエストすることを可能にする。職務上の細目は、運転者の運転履歴に関連する細目をも含み得、例えば、運転者が不完全な運転記録を有する場合に、車両の近傍の他の人々に警告するためにディスプレイ上に通知が描写され得る。第３の例では、メッセージは、車両１０の近傍の運転者に対する通知、例えば、交通情報又は天気予報を含み得る。第４の例では、メッセージは、車両の所有者に関する細目を含み得る。これは、車両１０が車の車両群（fleet）、例えば、レンタカー代理店、移動トラ
ックレンタル代理店、政府の車両群、又は任意のその他の適切なタイプの車両群の籍を有する場合に特に有用であり得る。第４の例のメッセージは、車両１０が何れの車両群に属するかを示し得、この情報は、車両群に関して広告するため（例えば、車両１０がレンタカー代理店に属する場合に、メッセージは、特定のレンタカー代理店に対する広告又はメッセージを含み得る）、又は任意のその他の適切な目的のために、車両を識別するのに使用され得る。しかしながら、メッセージは、任意のその他の適切なタイプのメッセージのものであり得る。
【００１１】
ディスプレイシステム１００は、好ましくは、電源により動力を与えられる。電源は、好ましくは、車両１０のアクセサリーバッテリ、車両１０のエンジン、又は車両１０の任意のその他の適切な電源等の、車両１０の電源である。或いは、ディスプレイシステム１００は、車両１０の電源とは実質的に無関係な電源を含み得、及び該電源により動力を与えられ得る。ディスプレイシステム１００の電源は、好ましくは、バッテリであるが、代替的に、ソーラーパネル、風力発電機、若しくは任意のその他の適切なタイプの電源、又は電源の組み合わせであり得る。更に代替的には、ディスプレイシステム１００は、充電可能であり、且つ車両１０が動作中であり及び／又は車両の１０のイグニッションがオンである間に車両１０からの電力を蓄積する車両１０の電源に結合された電源を含み得る。このバリエーションでは、ディスプレイシステム１００の電源は、車両が動作中である間に生成された電力がディスプレイシステム１００により後で使用されることを可能にする。しかしながら、ディスプレイシステム１００は、任意のその他の適切な方法及び／又は配置を使用して動力を与えられ得る。
【００１２】
ディスプレイ１１０は、コンテンツを表示するように機能し、ここで、コンテンツは、車両１０の識別情報、車両１０の登録情報、及びメッセージの内の少なくとも１つを含む。ディスプレイ１１０は、３つの動作モードの内の１つでプロセッサ１３０により動作させられる。ディスプレイ１１０は、好ましくは、ＬＥＤディスプレイ、ＬＣＤディスプレイ、ｅ−ｉｎｋディスプレイ、有機ＬＥＤディスプレイ、干渉変調器ディスプレイ（ｉＭｏＤ）、電気泳動堆積（ＥＰＤ）を使用するディスプレイ、コレステリック液晶ディスプレイ（ＣｈＬＣＤ）、又は任意のその他の適切なディスプレイ等の、実質的に低電力のデ
ィスプレイのものである。ディスプレイ１１０は、代替的には、上のディスプレイのタイプの組み合わせであり得る。ディスプレイ１１０はまた、好ましくは、実質的に広範囲の視野角を有する。ディスプレイ１１０はまた、好ましくは、実質的に薄く、車両の外側の後部及び／又は前部の既存のナンバープレートをディスプレイ１１０に置き換えることを可能にする。同様に、ディスプレイ１１０は、好ましくは、既存のナンバープレートと実質的に類似の幅、高さ、及び／又はアスペクト比のものである。或いは、ディスプレイ１１０は、既存のナンバープレートとは実質的に異なり得る（例えば、比較的高さが狭い欧州のナンバープレート場合、ディスプレイ１１０は、実質的に異なる高さのものであり得る）。しかしながら、ディスプレイ１１０は、任意のその他の適切な寸法のものであり得る。
【００１３】
ディスプレイ１１０はまた、バックライトを含み得る。バックライトは、ディスプレイ１１０により表示される情報の光度を制御するように機能する。バックライトは、好ましくは、複数の度合いの光度を含む。プロセッサ１３０は、動作のモードに基づいて光度の度合いを選択し得る。プロセッサ１３０はまた、ディスプレイ１１０に近接する環境光レベルに基づいて光度の度合いを選択し得る。例えば、光度の度合いは、日中はより高くてもよく、夜間はより低くてもよい。このバリエーションでは、ディスプレイシステム１００はまた、環境光のレベルを検出するための光センサを含む。ディスプレイシステム１００の光度の度合いはまた、運転者、法執行官、又は任意のその他の適切な関係者の嗜好に基づいて選択され得る。しかしながら、ディスプレイシステム１００の光度の度合いは、任意のその他の適切な基準に基づいて選択され得る。バックライトは、ディスプレイ１１０の外周上に実質的に位置する光のセットであり得、それは、ディスプレイ１１０に向けられる。或いは、バックライトは、ディスプレイ１１０の実質的に背後に位置し得、ディスプレイ１１０の背後から光を提供し得る。しかしながら、バックライトは、任意のその他の適切な配置のものであり得る。バックライトは、ＬＥＤ等の一連の低電力の光源であり得るが、代替的には、任意のその他のタイプの光源であり得る。或いは、ディスプレイは、ディスプレイ１１０を反射光を用いて照らすように機能する光反射面を有し得る。光反射面は、ミラー又は任意のその他の適切なタイプの反射材料であり得る。光反射面はまた、光源の方向に光を反射して戻す再帰反射材料のものであり得る。光反射面はまた、ディスプレイ１１０をより効果的に照らすための光源、例えば、高速道路標識に使用される半透過材料と組み合わせられ得る。しかしながら、ディスプレイを照らすために任意のその他の適切な材料又は方法が使用され得る。
【００１４】
車両速度センサ１２０は、車両１０の速度を検出するように機能する。車両速度センサ１２０は、好ましくは、車両１０に結合された加速度計、又は車両１０のドライブトレインに結合されたタコメータ等の、車両１０の絶対速度及び／又は加速度を測定するセンサであり、それは、車両１０の速度を判定するために、ホイール等のドライブトレインコンポーネントの回転数を一定期間測定する。第２のバリエーションでは、車両速度センサ１２０は、車両１０の速度計、及び／又は車両１０の車載コンピュータに結合され、この構成では、速度センサ１２０は、車両の速度を直接測定するのではなく、速度計及び／又は車載コンピュータにより収集された情報をプロセッサ１３０へ送信するように機能する。しかしながら、車両速度センサ１２０は、車両１０の絶対速度及び／又は加速度を判定する任意のその他の適切なタイプのセンサであり得る。或いは、車両速度センサ１２０は、車両の相対速度及び／又は加速度を測定するセンサであり得、例えば、別の物体に対する車両の速度を判定する超音波センサ又は赤外線センサであり得る。別の物体は、道路の静止部分又は近くの車両であり得る。しかしながら、車両速度センサ１２０は、任意のその他の適切な方法又はセンサのタイプを使用して車両１０の速度を判定し得る。
【００１５】
プロセッサ１３０は、ディスプレイシステム１００の動作モードに基づいてディスプレイ１１０上にコンテンツを描写するように機能し、該動作モードは、第１の電力消費レベ
ルにおいてディスプレイ１１０上に第１のコンテンツが描写され、該第１のコンテンツは、車両１０の識別情報及び／又は車両１０の登録情報を含む、第１のモード；ディスプレイ１１０上に第２のコンテンツが描写され、該第２のコンテンツは、メッセージを含み、車両１０の識別情報及び／又は車両１０の登録情報を可能であれば含む、第２のモード；並びに、第１の電力消費レベルよりも少ない第２の電力消費レベルにおいてディスプレイ１１０上にコンテンツが描写される第３のモードがある。好ましくは、第３の動作モードで描写されるコンテンツは、車両１０の識別及び登録情報を含む。ディスプレイシステム１００のバリエーションでは、第３の動作モードで描写されるコンテンツは、車両１０の識別及び／又は登録情報に加えてメッセージを含む。しかしながら、第３の動作モードにおいてディスプレイ１１０上に描写されるコンテンツは、任意のその他の情報若しくはメッセージ、又はそれらの任意の組み合わせを含み得る。
【００１６】
プロセッサ１３０は、好ましくは、車両速度センサ１２０に結合される。上述したように、車両速度センサ１２０により判定される速度は、車両１０の絶対速度であり得、又は代替的には、別の物体（例えば、隣接する車両）に対する車両１０の速度であり得る。プロセッサ１３０は、好ましくは、車両１０の速度及び電力の状態に基づいて、ディスプレイシステム１００の動作モードを選択する。しかしながら、車両１０の車載コンピュータ、法執行官、リモートサーバに接続された第２のプロセッサ、又は任意のその他の適切なデバイス若しくは装置等の、プロセッサ以外のデバイスがディスプレイシステム１００の動作モードを選択してもよい。プロセッサ１３０は、好ましくは、車両１０がオンである場合に第１及び第２の動作モードでディスプレイ１１０を動作し、プロセッサは、好ましくは、車両１０がオフである場合に第３の動作モードでディスプレイ１１０を動作する。車両１０は、好ましくは、運転者が車両１０の何れかの部分をオンにした場合に“オン”であるとみなされる。多くの車では、複数の“オン”状態があり、例えば、窓の開閉等の基本機能が可能である第１の“オン”状態、換気システム又は音響システム等のより進んだ及び／又はより高電力の機能が可能である第２の“オン”状態、並びに、車両が運転され得る（又は言い換えれば、イグニッションがオンである）第３の“オン”状態がある。車両１０は、他の状態では“オフ”とみなされ得る。“オフ”状態では、車両の幾つかの部分、例えば、セキュリティセンサ、キー近接センサ（キーレスエントリ等）、又は任意のその他のタイプの実質的に低電力の機能は依然として“オン”であり得る。或いは、車両が運転者に提供し得る何れのその他の機能に関わらず、車両１０は、イグニッションがオンである場合に“オン”とみなされ得、イグニッションがオフである場合に“オフ”とみなされ得る。更に代替的には、車両１０は、車両内に人の存在が検出された場合に“オン”、及び車両内に誰もいない場合に“オフ”とみなされ得る。車両１０はまた、イグニッションの状態又は車両１０内の人の存在に関わらず、車両１０の非常ブレーキ又はトランスミッション駐車ブレーキがかかった場合にオフとみなされ得る。しかしながら、車両は、任意のその他の適切な基準を使用して“オン”及び“オフ”とみなされ得る。プロセッサ１３０は、好ましくは、車両１０が第１の速度である場合に第１の動作モードでディスプレイ１１０を動作し、好ましくは、車両１０が第１の速度より遅い第２の速度である場合に第２の動作モードでディスプレイ１１０を動作する。第２の速度は、好ましくは実質的にゼロの速度であり、又は実質的にゼロの速度に近い。このことは、図１に示すように、車両１０が移動中（第１の速度）の間に、車両１０の識別及び／又は登録情報が実質的に視覚化されることを可能にする。このことは、固定の（又は刻印された）ナンバープレート上の情報に視覚的にアクセスするために使用される方法と同様の方法で、車両１０の外部の任意の関係者がディスプレイ１１０上に描写された情報に視覚的にアクセスすることを可能にする。一バリエーションでは、車両１０がオンであり、第２の速度である場合に、プロセッサ１３０は、第２の動作モードでディスプレイ１１０を動作し、ディスプレイ１１０上に第２のコンテンツを描写し、ここで、第２の速度は、好ましくは、車両が交通渋滞をゆっくりと通過する場合等、ゼロの速度又は実質的に低速である。第２のモードで描かれるメッセージは、ディスプレイの表示領域の一部を取り上げるので、同様に描
かれる識別及び／又は登録情報は、第２の動作モードでは、第１の動作モードと比較して表示領域のより小さな一部を費やし得る。識別及び登録情報は、メッセージが車両１０の情報と同時に表示される場合にディスプレイ１１０上のより小さなサイズで描かれるので、識別及び登録情報の視認性は、第１の動作モードよりも第２の動作モードではより少なくてもよい。或いは、第２の動作モードでディスプレイ１１０上に描写される識別及び／又は登録情報は、第１のモードと同じ又は類似のフォーマット（例えば、サイズ及びレイアウト）のものであり得るが、メッセージは、識別及び／又は登録情報に重なるようにディスプレイ上に描写され得る。これはまた、車両１０の識別及び／又は登録情報の視認性の削減をもたらし得る。それ故、車両１０が相当の速度で移動する場合に識別及び／又は登録情報の視認性の減少が生じないように、車両が停止又はほぼ停止する場合のような状態下でのみメッセージは表示され得るが、車両が第２の速度である場合にメッセージを表示する付加的な機能は依然として残る。また、メッセージは、車両１０が移動中である間に車両１０の外の関係者に不要な注意散漫を提供することがあり、それ故、車両が停止又はほぼ停止している間にメッセージを表示することのみによって、注意散漫の可能性を実質的に削減し得る。しかしながら、プロセッサ１３０は、代替的には、任意のその他の適切な速度の配置において、第１及び第２の動作モードでディスプレイ１１０を動作し得る。このバリエーションでは、ディスプレイシステム１００は、車両１０の外側の前部にディスプレイ１１０が搭載された場合に、ディスプレイ１１０上に描写されるコンテンツを横方向にミラーリングすることによって、車両１０の外の関係者に対する情報の可読性を強化し得、このバリエーションでは、車両１０の前に位置する第２の車両のバックミラー又はサイドミラー内で関係者がディスプレイ１１０を見ることによって、ディスプレイ上に描写されるコンテンツは、正しい向きで読み出され得る。しかしながら、ディスプレイ１１０により生じる注意散漫が削減され、表示されるコンテンツの可読性が改善されるような任意のその他の手段又は配置によって、プロセッサはディスプレイ１１０上にコンテンツを描写し得る。
【００１７】
上で説明したように、プロセッサ１３０は、好ましくは、車両１０がオフである場合に、第３の動作モードでディスプレイ１１０を動作するように機能する。第３の動作モードは、好ましくは、第１の電力消費レベルよりも少ない第２の低電力消費レベルで車両１０の識別及び登録情報を表示する。このバリエーションでは、第３の動作モードにおける場合には、メッセージ、車両１０の識別情報、車両１０の登録情報、又は任意のその他の情報のいずれか１つ又は組み合わせがディスプレイ１１０上に描写され得るが、車両１０の識別及び登録情報に加えて、ディスプレイ１１０上にメッセージが描写される。車両１０がオフである場合、ディスプレイシステム１００が利用可能な電力は、車両がオンである場合よりも少なくてもよい。例えば、ディスプレイシステム１００が車両１０の電源から電力を取得するバリエーションでは、ディスプレイシステム１００は、車両がオンであった別の期間から蓄積されたエネルギーを利用していてもよい。したがって、有限の電力の供給があり、車両がオフである間に第１及び／又は第２の動作モードよりも第３の動作モードでディスプレイ１１０を低電力消費レベルで動作することによって、ディスプレイ１１０上にコンテンツが描写され得る時間の長さを、ディスプレイシステム１００に利用可能な所定量のエネルギーに対して増加させ得る。
【００１８】
第３の動作モードにおけるディスプレイ１１０の動作は、様々な配置でディスプレイシステム１００の電力消費を削減し得る。第１のバリエーションでは、ディスプレイ１１０は、第１の時間にオフにされ得、第２の時間にオンにされ得る。ディスプレイ１１０は、特定の時間間隔で、例えば、５分おきに、オン及びオフを循環するように時間調整され得る。運転者、所有者、又は任意のその他の適切な関係者は、該間隔を調節し得る。このことは、ディスプレイ１１０がある時間の長さの間オフにされ、別の時間の長さの間オンにされることを可能にする。ディスプレイ１１０がオフにされる時間の長さは、好ましくは、ディスプレイ１１０がオンにされる時間の長さよりも実質的に長く、このことは、ディ
スプレイ１１０の電力消費を実質的に減少させる。更なるバリエーションでは、第３の動作モードにおける場合は、コンテンツは、第１の動作モードにおいて動作する場合と比較して表示により少ない電力を必要とする色彩でディスプレイ１１０上に描写され得る。しかしながら、プロセッサは、第３の動作モードにおける場合にディスプレイ１１０の電力消費を第１の動作モードと比較して削減する任意のその他の手段によってディスプレイ１１０を動作し得る。更に、例えば、クロック速度を削減すること、通信デバイス１４０へデータを送信し及び／若しくは通信デバイス１４０からデータを受信する等の補助機能を停止すること、又はプロセッサ１３０の電力消費を削減するための任意のその他の方法によって、プロセッサ１３０は、第３の動作モードにおける場合にプロセッサ１３０の電力消費レベルを削減し得る。プロセッサ１３０が第３の動作モードでディスプレイを動作する場合、ディスプレイ１１０の光度は、第１及び／又は第２の動作モードの光度と実質的に同一であり得る。或いは、車両１０は、オフである場合に静止していると推定され（この推定に対する可能性のある例外は、車両１０がけん引されている場合であろう）、メッセージ及び／又は識別情報及び／又は登録情報が示される関係者は車両１０に実質的に近接しているので、ディスプレイ１１０の光度は、第１及び／又は第２の動作モードよりも第３の動作モードでは実質的に少なくてもよい。しかしながら、任意のその他の適切な光度が第３の動作モードにおいて使用されてもよい。
【００１９】
第２のバリエーションでは、第３の動作モードで動作しているが、第１及び／又は第２の動作モード中よりも実質的に低い光度である場合に、ディスプレイは継続的にオンであり得る。第１の例では、ディスプレイ１１０のバックライトは、第３のモードではより低い光度であり得る。第２の例では、ｅ−ｉｎｋであるディスプレイ１１０のバリエーションでは、ディスプレイ１１０のバックライトはオフにされ得、双安定性であり且つ維持するための追加の電力を必要がないｅ−ｉｎｋのみが視覚化されることを可能にする。第３の動作モードにおいてディスプレイ１１０の電力消費を減少させるための方法及び配置は、好ましくは、上の２つのバリエーションの内の１つであるが、代替的には、上のバリエーションの組み合わせ又は任意のその他の適切な方法若しくは配置であり得る。
【００２０】
プロセッサ１３０は、代替的には、第４の動作モードでディスプレイ１１０を動作し得る。第４のモードは、通信デバイス１４０を通じた通信によって判定され得る。第１の例では、通信デバイス１４０は、法執行機関と通信し得、車両１０が盗難されたことをプロセッサ１３０に示し得る。プロセッサ１３０は、車両１０が盗難車両であることの通知がディスプレイ１１０上に描写される第４の動作モードでディスプレイ１１０をその後動作し得る。しかしながら、第４のモードは、代替的には、任意のその他の適切なタイプのものであり得、任意のその他の適切な方法により作動し得る。
【００２１】
通信デバイス１４０は、コンテンツ、情報、及び／又はデータがディスプレイシステム１００との間で転送されることを可能にするように機能する。通信は、公的組織（ＤＭＶの事務所又は法執行機関等）、コンテンツデータベース、車両の運転者、車両の所有者、又は任意のその他の適切な関係者で行われ得る。通信デバイスは、車両の識別及び／又は登録情報、車両のメンテナンス情報、運転者の情報、（例えば、ＧＰＳ位置デバイスを含み、又はＧＰＳ位置サービスにアクセスするディスプレイシステム１００のバリエーションでは）車両の位置情報、更新された広告、又は任意のその他の適切なタイプの情報に関する情報を送信及び／又は受信し得る。通信デバイス１４０は、好ましくは、無線通信タイプのもの、例えば、セルラー電話基地局、Ｗｉ−Ｆｉハブ、又は任意のその他の適切なタイプの無線通信と通信するものである。しかしながら、通信デバイス１４０は、有線通信デバイスであってもよい。このバリエーションでは、更新デバイス、例えば、メンテナンス設備、ＤＭＶの事務所、若しくは任意のその他の適切な位置でのコンピュータ、又は無線通信能力を有する別の車両及び／若しくはディスプレイシステム１００にディスプレイシステム１００が“プラグイン”された場合に更新情報が転送される。通信デバイス１
４０はまた、ディスプレイシステム１００との通信を解釈するように機能する通信プロセッサを含み得る。通信プロセッサは、好ましくは、プロセッサ１３０とは別個であるが、代替的にはプロセッサ１３０であり得る。通信プロセッサは、ディスプレイシステム１００との通信を暗号化及び／又は復号化するように機能し得る。暗号化／復号化は、様々な認証及び暗号化スキームの内の何れか１つであり得る。例えば、ディフィーヘルマン鍵共有、ワイヤレストランスポートレイヤセキュリティ（ＷＴＬＳ）、又は任意のその他の適切なタイプのプロトコル等の暗号化プロトコル。通信プロセッサはまた、データ暗号化標準（ＤＥＳ）、トリプルデータ暗号化標準（３−ＤＥＳ）、又は高度暗号化標準（ＡＥＳ）等の暗号化標準にデータを暗号化するように機能し得る。しかしながら、通信デバイス１４０は、任意のその他の適切なタイプの通信を可能にし得、任意のその他の適切な配置のものであり得る。
【００２２】
通信デバイス１４０は、コンテンツデータベースからコンテンツ、情報、及び／又はデータを受信し得る。好ましくは、コンテンツデータベースは、プロセッサ１３０から実質的に遠く離れて配置される。コンテンツデータベースはまた、好ましくは、機関、例えば、広告主、学校、レコード会社、又はスポーツチーム若しくは会場により提供されたコンテンツを含み、機関により提供されるコンテンツは、好ましくは広告を含む。或いは、コンテンツデータベースは、車両１０の運転者及び／又は所有者により提供されたコンテンツ、例えば、高校卒業時に子供を祝う車両１０の所有者により構成されたメッセージを含み得る。しかしながら、任意のその他の適切な関係者がコンテンツデータベースにコンテンツを提供し得、コンテンツデータベースは、１つ以上の機関からの広告と、１つ以上の個人からの私的メッセージとの組み合わせを含み得る。第１の例では、コンテンツデータベース上のコンテンツは、通信デバイス１４０を介してプロセッサ１３０によりアクセスされ、ストレージデバイス１５０上に格納される。好ましくは、ストレージデバイス１５０は、車両１０内、又はディスプレイ１１０を含む筐体内等、ディスプレイ１１０に実質的に近接して配置されるが、ストレージデバイス１５０は、リモートサーバに接続されたハードドライブ上等、車両１０から遠隔に配置されてもよい。第２の例では、コンテンツデータベース上のコンテンツは、リアルタイムで通信デバイス１４０を介してアクセスされ、その後、ディスプレイ１１０上に描写され、それによって、ストレージデバイス１５０上のコンテンツの格納を回避（bypass）する。しかしながら、該リモートのメッセージデータベースからのコンテンツは、ディスプレイ１１０上に描写される前に任意のその他の手段によりアクセスされ得る。第３の例では、ストレージデバイスは、コンテンツデータベースとしても機能し、上で掲載した機関又は個人等、少なくとも１つの機関又は個人からのコンテンツは、ストレージデバイス上に格納され得、また、ディスプレイ１１０上に描写されるように車両１０の運転者及び／又は所有者により選択され得る。このバリエーションでは、コンテンツデータベースとしても機能する、ディスプレイシステム１００のストレージデバイス１５０は、第２の車両上に配置されたディスプレイシステム等、ディスプレイシステム１００とは別個の第２のディスプレイシステムによってアクセスされ得る。しかしながら、任意のその他の適切な関係者は、ディスプレイ１１０上に描写されるコンテンツをコンテンツデータベースから選択し得る。更に、コンテンツデータベース上のコンテンツは、車両１０の運転者及び／又は所有者によって、又は任意のその他の適切な関係者によって、インタフェースを介して選択、アクセス、及び／又は変更され得る。好ましくは、インタフェースは、インターネットベースであり、例えば、モバイルスマートフォン上の又はコンピュータ上のウェブブラウザを介してアクセス可能である。第１の例では、車両１０の運転者及び／又は所有者は、インターネット対応の携帯電話とのインタフェースにアクセスし得、その後、コンテンツデータベースにログインし得、ディスプレイ１１０上に描写されることを望むコンテンツ（例えば、サンフランシスコジャイアンツ野球バナー）を選択し得る。第２の例では、コンテンツデータベースは、車両の登録情報を格納し、車両１０の登録が更新されると、ＤＭＶの代表者は、インタフェースを備えるコンピュータを介してコンテンツデータベースにアクセスし得、その後、コンテンツ
データベース上の車両１０の登録情報を更新し得、通信デバイス１４０は、その後、更新された登録情報をコンテンツデータベースから検索し得、ディスプレイ１１０上に続いて描写される登録情報は、更新を反映し得る。或いは、インタフェースは、ディスプレイシステム１００に配線接続された、又は物理的に“プラグイン”された携帯デバイスであり得る。このバリエーションでは、インタフェースは、ディスプレイシステム１００から取り去り可能であっても、なくてもよい。更に、インタフェースは、通信デバイス１４０を介してコンテンツデータベースに結合されなくてもよいが、代わりに、ディスプレイ１１０に実質的に近接して配置されたストレージデバイス１５０上等、ディスプレイシステム１００上に既に位置するコンテンツにアクセスするために、車両１０の運転者及び／若しくは所有者、又は任意のその他の適切な関係者に提供のみしてもよい。例えば、法執行官は、交通違反のために車両１０の運転者を路肩に寄せると、車両１０上に配置されたディスプレイシステム１００に、インタフェースを備えたデバイスを繋ぎ得、ここで、インタフェースは、車両１０の現在の識別及び／又は登録情報へのアクセスを提供する。しかしながら、インタフェースは、任意のその他の手段によってディスプレイシステム１１０に結合された任意のその他のデバイスに含まれる任意のコンテンツへのアクセスを可能にしてもよい。
【００２３】
通信デバイス１４０は、ディスプレイ１１０上の特定のコンテンツの描写に関するデータを送信し得る。好ましくは、ディスプレイ１１０上に描写されるコンテンツに広告が含まれ、通信デバイス１４０は、ディスプレイ１１０上の広告の描写に関するデータを送信する。このデータは、例えば、広告をどの位の間表示されたか、何時表示されたか、及びどこに表示されたかを含む。或いは、このデータは、任意のその他のデバイス又は手段によって収集及び格納できるが、プロセッサ１３０によって収集及び／又は格納できる。好ましくは、この情報は、車両１０の運転者及び／又は所有者に授与される賞の大きさ又はタイプを判定するのに使用される。第１の例では、所望のチームを呼び物にする野球ゲームへのチケットに対する広告がディスプレイ１１０上に描写される場合、車両１０の運転者及び／又は所有者は、広告がディスプレイ１１０上に描写された時間の長さに見合う賞金を受け取り得、或いは、車両１０の運転者及び／又は所有者は、野球ゲームでの比較的低い観客動員数のエリアにおいて広告を表示することの代償として、このチームを呼び物にする野球ゲームへの１つ以上のチケットを受け取り得る。しかしながら、ディスプレイ１１０上にコンテンツを描写することの代償として、車両１０の運転者及び／又は所有者に任意のその他のタイプの賞を授与するために、任意のその他の方法が使用されてもよい。
【００２４】
第２の車両への車両１０の近接を判定するためのセンサは、ディスプレイ１１０上に描写されるコンテンツを変更するためにプロセッサ１２０に示すように機能する。プロセッサ１２０は、好ましくは、（第２のモードにおいて等）車両１０に第２の車両が実質的に近接した場合に、ディスプレイ１１０上に広告等のメッセージを描写し、プロセッサ１２０は、好ましくは、（第１のモード又は第３のモードにおいて等）車両１０に第２の車両が何ら実質的に近接しないことをセンサが検出した場合に、ディスプレイ１１０上に車両１０の識別及び登録情報を描写する。センサは、ＲＡＤＡＲ検出器、ＬＩＤＡＲ検出器、ＩＲ送信機・フォトレジスタ対、カメラ、又は車両１０の第２の車両への近接を検出するように構成された任意のその他の適切なデバイスであり得る。カメラであるセンサの実施形態では、カメラは、第２の車両の識別情報（第２の車両のナンバープレート番号等）を検出するように構成され得、この情報は、第２の車両の所有者を判定し、且つ第２の車両の所有者に関連する情報を取得するために使用され得る。プロセッサ１２０は、第２の車両の所有者が少なくとも６０歳の年齢であると判定された場合に割引の処方箋医薬品に対する広告を表示することによって、第２の車両の所有者が女性であると判定された場合に女性服の店に対する広告を表示することによって、又は第２の車両が法執行機関により所有又は使用されると判定された場合に運転者の情報を表示することによって等、第２の車
両の所有者の層に基づいて、ディスプレイ１１０上に描写されるコンテンツをその後変更し得る。この例では、第２の車両の識別情報は、車両の識別情報のデータベースへ送信され得、ここで、該データベースは、年齢、民族、又は性別等の第２の車両の所有者についての情報を戻し、データベースは、ＤＭＶ又は米国自動車協会（ＡＡＡ）等の実体によって維持され得る。或いは、カメラは、（例えば、顔認証ソフトウェアを用いることにより運転者を特定の民族に一致させることによって）第２の車両の運転者の層を、又はディスプレイ１２０上に描写されたメッセージへの第２の車両の運転者の反応を直接判定するように構成され得る。後者の例では、最初の反応が否定的である場合にはより好意的な反応を生み出し得る代替的なメッセージを選び取るために、又は、第１の反応が肯定的である場合には同様のメッセージを選択するために、第２の車両の運転者の反応は使用され得る。更に、センサがカメラである実施形態では、カメラは、コンテンツが適切な光レベルでディスプレイ上に描写され得るように、車両１０に実質的に近接の環境光のレベルを測定するために使用され得、例えば、カメラが車両１０近くの高レベルの太陽光を測定した場合、ディスプレイの輝度は増加し得る。しかしながら、センサは、第２の車両に関連する任意のその他の情報を検出し得、任意のその他の変数に基づいて、ディスプレイ上に描写されるコンテンツを変更するためにプロセッサ１２０に示し得る。
【００２５】
図２は、車両システム２１８、車両乗員、又は第三者若しくは自動化システム２２０等の潜在的に相互作用する代理人と共に、デジタルナンバープレートシステム２００に組み込まれ得る様々なシステム、サブシステム、又はモジュールを説明する。この図では、デジタルナンバープレート２０２は車両に搭載され得る。デジタルナンバープレート内のシステムは、電力システム２０４、熱制御システム２０６、及びセンサシステム２０８を非制限的に含み得る。電子セキュリティシステム２１０は、データロギング及びインタフェースシステム２１２を介してロギング及び分散されるデータ、又は通信システム２１４を通じて受信／送信される任意の通信への未認証のアクセスを制限する。受信データは、ディスプレイ２１６により提示される情報を判定又は更新するために使用され得る。
【００２６】
図３は、デジタルナンバープレートシステムの一実施形態の動作方法を説明する。デジタルナンバープレートを特定の車両に登録及びリンクするための初期セットアップ３０２の後、デジタルナンバープレートは、車両の起動（又は、代替的には車両の停止）についての初期化３０４のために準備され得、デジタルナンバープレートに対するコンテクス、位置、又はディスプレイの事前設定を識別するのを助力するためにタイマー又はセンサを使用し得る。データのアップロード／ダウンロードが開始され得、任意のファームウェア／ソフトウェアの更新が完了する。通常動作では、ディスプレイへの変更３０６は、検知３０８されたデータに応じて、データの格納又は分析システム３１０から、又は外部の通信及びデータ転送３１２の結果として生じ得る。同様に、内部のトリガー又は外部の受信データに基づいて、検知又は格納されたデータは送信又は受信され得、センサは、活性化され、不活性化され、又はセンサのデータは分析される。車両が停止した場合、又はあるタイミング若しくはその他の適切なトリガーに応じて、データは、（線３１４を介して）初期化ステップ３０４に戻して転送され得る。
【００２７】
図４は、様々な盗難防止機構４００を描く。幾つかの実施形態では、盗難防止機構４００は、通信コンポーネント４０２、物理的コンポーネント４０４、警報コンポーネント４０６、及び値コンポーネント４０８の４つのコンポーネントを含む。幾つかの実施形態では、通信コンポーネント４０２は、盗難の挑戦を防盗メッセージとして通信することを意図し得る。例えば、デジタルナンバープレート上のセキュリティレベルは、デバイスがＧＰＳ追跡デバイスを装備することを示すメッセージングを介して盗難防止機構に広告し得、盗難のイベントで警報が活性化された場合、メッセージは警察及び所有者へ送られるであろう。その他の実施形態では、物理的コンポーネント４０４は、デバイスを物理的に取り去るプロセスを困難にさせるために、例えば、特注の盗難防止ねじ、隠されたボルト頭
、及び耐こじ開け設計を使用し得る。警報コンポーネント４０６は、関連付けられた車両からのデジタルナンバープレートの未認証の切断と、デジタルナンバープレート上の警告メッセージの対応する表示とを検出する能力を含み得る。例示的な警告メッセージは、デバイスが盗難されたと検出されたこと、及びデバイスがＧＰＳにより追跡されていることを潜在的な泥棒に通信し得る。値コンポーネント４０８は、盗難のイベント中に使用不可能なデバイスを描写するためのセキュリティ機構を実装することを伴い得る。実装され得るセキュリティ機構は、デジタルナンバープレートが関連付けられた事前登録された車両識別番号（ＶＩＮ）にディスプレイシステムの識別番号を一致させる、暗号で生成された識別番号をハードウェア的及びソフトウェア的なロックアウトと共に含み得る。
【００２８】
図５は、防盗として使用され得る通信メッセージ５００を描く。幾つかの実施形態では、通信メッセージ５００は、デジタルナンバープレートのある部分に張り付けられるステッカー又はデカールであり得る。その他の実施形態では、通信メッセージ５００は、デジタルナンバープレート上に表示され得る。
【００２９】
図５に示すように、通信メッセージ５００は、“ＧＰＳ警報システム”を読み出し得るバナー５０２を含み得る。バナー５０２は、警報システムがデジタルナンバープレートと関連付けられていることを潜在的な泥棒に警報することを意図する。通信メッセージ５００は、グラフィック５０４をも含み得、グラフィック５０４は、警報システムの図形表現を与え、従って、視覚的手がかりとして役立つ。通信メッセージ５００は、メッセージ５０６をも含み得、メッセージ５０６は、デジタルナンバープレートがＧＰＳデバイスに装着されていることと、関連付けられた警報が活性化された場合に、信号が警察及びデジタルナンバープレートの所有者へ送られるであろうことを潜在的な泥棒に警告する。デジタルナンバープレートと関連付けられた警報を活性化するために使用される方法が続いて説明される。通信メッセージ５００は、高コントラストな視野５０８等、高コントラストな視覚的設計要素を含み得、高コントラストな視野５０８は、通信メッセージ５００と関連付けられた警報メッセージに人の注意を引くために使用される。
【００３０】
図６は、デジタルナンバープレートが盗難されるイベント中にデジタルナンバープレート上に現れ得る警告メッセージ６００を描く。警告メッセージ６００は、デジタルナンバープレートが盗難されたと検出され、ＧＰＳにより追跡されていることをデジタルナンバープレートを所持する泥棒に通告する。幾つかの実施形態では、警告メッセージ６００は、デジタルナンバープレートに組み込まれた可聴警報を含み得る。その他の実施形態では、デジタルナンバープレートは、デバイスをより困難に取り扱わせるためにハプティクスフィードバックを生成するように構成され得る。警告メッセージ６００はまた、強調した警告メッセージ６００を助力するために、高コントラストで、可能であれば鮮明な色で表示され得る。
【００３１】
図７は、未認証のデバイス切断時に取られるステップを示す方法７００と関連付けられたフロー図を描く。初めに、７０２において、方法は、関連付けられた車両からデジタルナンバープレートが切断されていることについての情報を受信する。この情報は、例えば、（ディスプレイシステムが車両から物理的に取り去られたことを示す）車両が静止している間の３次元での移動を検出する車載の加速度計、又はデジタルナンバープレートとその他の車両システムとの間の電力ケーブル若しくは通信ケーブルの切断を検出し得る回路に基づいて誘発され得る。７０４において、方法は、警察及び関連付けられた車両の所有者に警報する。幾つかの実施形態では、デジタルナンバープレートは、例えば、Ｗｉ−Ｆｉ、無線インターネット（例えば、Ｌｏｎｇ−Ｔｅｒｍ  Ｅｖｏｌｕｔｉｏｎ、ＬＴＥ接続）、ショートメッセージングサービス（ＳＭＳ）、Ｂｌｕｅｔｏｏｔｈ、又は任意のその他のこうしたワイヤレスコネクティビティ方法等の無線通信チャネルを介して、警察及び関連付けられた車両の所有者にこれらの警報を提供する。警察、政府当局、及び／又は
関連付けられた車両の所有者に提供される警報は、例えば、車両と関連付けられたデジタルナンバープレートが車両から切断され、おそらく盗難されたことを明言するメッセージを含み得る。７０６において、方法は、デジタルナンバープレート上に警告メッセージを表示し、該警告メッセージは、図６に描き、上で説明したものと同様であり得る。次に、７０８において、方法は、デジタルナンバープレートの機能を無効にする。これを達成するために、ハードウェアベース及びソフトウェアベースの両方の無効化技術が使用され得る。例えば、関連付けられた車両のＶＩＮ番号を確認し、それをデジタルナンバープレートのシリアルナンバーと一致させる機能をデジタルナンバープレートに組み込んでもよく、ＶＩＮデバイスのシリアルナンバーの確認が失敗した場合、デジタルナンバープレートは、ハードウェア的な閉鎖及びソフトウェア的な閉鎖の両方のモードに進み得、泥棒は、デジタルナンバープレートと関連付けられたハードウェアもソフトウェアも何れも動作できない。最後に、７１０において、方法は、盗難されたディスプレイシステムの物理的位置を例えば、組み込みＧＰＳ受信機を介して追跡し、対応する座標を法執行官（警察）及びデジタルナンバープレートの所有者へ上で説明した無線通信チャネルの内の１つ以上を介して送信する。
【００３２】
幾つかの実施形態では、デジタルナンバープレートのメッセージング機構はまた、車両それ自体に付加的なセキュリティを追加するために使用され得、盗難車両と関連付けられたデジタルナンバープレートは、車両が盗難されたことを広告するメッセージを受信及び表示するように構成され得る。これは、こうした車両が見つけられた場合に法執行官に警報し得る一般大衆と共に法執行官に対する警報として役立ち得る。
【００３３】
デジタルナンバープレート上の様々な構造的機構はまた、有用な盗難防止保護を提供し得る。例えば、図８に見られるように、車両に取り付けられた背板８０４上に搭載されたデジタルナンバープレート８０２に対する盗難防止システム８００は、デジタルナンバープレート８０２の取り去りを示すためにセンサシステム８１０の提供を含み得る。図８に見られるように、デジタルナンバープレート８０２は、ディスプレイ８０６の下の様々なコンポーネントを示すために部分的に除去されたディスプレイ８０６を有する。センサシステム８１０は、コントローラ８１２に接続され、コントローラ８１２は、次に、ＧＮＳＳ／ＧＰＳサポート及びアンテナ８１６を有する無線システム８１４に接続される。車両に搭載の電力システム（図示せず）への接続によって通常、動力が与えられつつ、コンポーネントは、充電可能な二次的バッテリ又は（バッテリ８０４として示される）交換可能な一次的バッテリを用いて暫くの間動作させられ得る。幾つかの実施形態では、一方向の“セキュリティ”ねじ、又は取り去りを防止するように設計された機構を有するその他の機械的取り付け若しくはインターロック素子８０８が使用され得る。
【００３４】
センサシステム８１０の様々な実施形態が熟考される。例えば、電気機械的に作動可能なラッチを画定する第１及び第２のロッキング素子が使用され得る。これは、作動可能なラッチの電子的な制御及び噛み合わせ／解き放しを可能にする。こうしたロッキング素子は、典型的には、ロックされた位置で相互に隣接して位置付けられ、電磁的に制御可能な掛け金、ピン、留め金、又はラッチボルトを含み得る。その他の実施形態では、センサシステムは、噛み合わせられた、若しくは解き放たれた、又はそれら両方の場合に信号を提供するロッキング素子を含み得る。これは、例えば、ペアリング可能なＲＦＩＤタグとリーダ、ホール効果センサと背板８０４に取り付けられ若しくは背板８０４の一部として形成された磁気材料、又は埋め込みセキュアエレメントチップとチップリーダを含み得る。幾つかの実施形態では、ロックの噛み合わせ／解き放しの動作は、ユーザ定義の入力クレデンシャル（例えば、ＰＩＮ番号若しくはパスワード）、生体プロトコル、又はその他の適切な認証の使用を含み得る。
【００３５】
一実施形態の動作では、盗難防止機構は、ディスプレイ８０６によるメッセージングの
制御を含み得る。例えば、デジタルナンバープレートが事前に認証されることなく車両から取り去らされた場合に、デジタルナンバープレートのディスプレイ８０６は、警告メッセージを表示し、又は未表示のディスプレイに設定する。デジタルナンバープレートは、車両から一旦取り外されるとライセンス番号を表示しないので、このことは、盗難されたプレートが異なる所有者により異なる車両上で使用できないことを確保し、盗難されたデジタルプレートと関わりのある違法な活動が車両の所有者を誤って識別されないことを確保するのを助力する。その他の実施形態では、車両からのデジタルナンバープレートの取り去りの通知は、電子メール／テキストメッセージを介してプレートの所有者へ送られる。通知は、ＧＮＳＳ／ＧＰＳを用いて無線システム８１４により判定及び送信されるような位置及び車両ステータスを含み得る。更なる通知及び追跡は、所有者のスマートフォン等の携帯デバイス上の適切なソフトウェアアプリケーションによって、又はクラウド接続のデスクトップのソフトウェアによって提供され得る。
【００３６】
車両から一旦取り外されると、既存の又は新たな所有者により車両上にデジタルナンバープレートを再搭載することは、ソフトウェアの認証を必要とする。認証後のみ、プレート上に正しいライセンス番号が再度表示されるであろう。
【００３７】
図９に関して説明される一実施形態では、デジタルナンバープレートシステムを動作するための方法９００は、ロッキング素子が解き放されたか否かの判定を第１のステップ９０２として有する。ロッキング素子が解き放された場合、ステップ９０４において、所有者又は適切な権威は、デジタルナンバープレートの内部バッテリの電力を使用して、デジタルナンバープレートにより無線で通知され得る。ライセンス番号の表示は、ステップ９０６においてオフにされ得、ステップ９０８において、盗難又は未認証の使用の警告メッセージがディスプレイ上に置き換えられる。双安定性ディスプレイが使用される場合、バッテリが取り去られ又は使い果たされたとしても、警告メッセージは表示され続けるであろう。電力が供給される場合、ＬＣＤディスプレイは警告メッセージを提供するように設定し得る。デジタルナンバープレートが元の車両に戻され、又は所有権の移転がなされた場合、ステップ９１０において、デジタルナンバープレートの通常動作は認証を必要とする。
【００３８】
説明する一実施形態では、デジタルナンバープレートは、デジタルナンバープレートが後で取り付けられる車両上に恒久的に又は半恒久的に搭載される金属の背板を完全に又は部分的に含む。ホール効果センサ、機械的スイッチ、又は同様のコンポーネントは、金属の背板との接触又は密接な関連からデジタルナンバープレートの取り去りを検出可能にするために、背板とデジタルナンバープレートとの間に位置付けられる。センサがナンバープレートの取り去りを検出した場合、デジタルナンバープレートは、盗難通知を即座に送り、且つ利用可能なバッテリ電力の持続期間中、位置情報を送り続けるために、その無線送信システムを使用し得る。
【００３９】
ホール効果センサ及びその他のデジタルナンバープレートの電子コンポーネントは、予備バッテリによって動力を与えられ得る。デジタルナンバープレート内の予備バッテリが取り去られた場合、デジタルナンバープレートは、警告メッセージを消去又は表示するであろう。バッテリはまた、バッテリのドアによって保護され得る。バッテリのドアが開放された場合、デジタルナンバープレートの再設定を開始すること又は警告信号を提供することなくバッテリの交換を可能にする事前認証モードにデジタルナンバープレートが設定されていない限り、無線信号は即座に送られ得る。テキスト又はアプリケーション介在のメッセージは、バッテリが認証なく取り去られたか否かをユーザに通告するために使用され得る。
【００４０】
前述の説明では、その一部を形成し、且つ開示が実践され得る特定の模範的実施形態の
例証として示される添付の図面への参照がなされている。これらの実施形態は、本明細書に開示される発想を当業者が実践することを可能にするのに十分詳細に説明され、開示される様々な実施形態に変更がなされ得、本開示の範囲から逸脱することなく、その他の実施形態が利用され得ることは理解されるべきである。前述の詳細な説明は、それ故、制限的な感覚で捉えられるべきではない。
【００４１】
この明細書全体を通して、“一実施形態”、“実施形態”、“一例”、又は“例”への言及は、当該実施形態又は例に関連して説明される特定の機構、構造、又は特徴が本開示の少なくとも１つの実施形態に含まれることを意味する。したがって、この明細書全体を通して様々な場所における句“一実施形態では”、“実施形態では”、“一例”、又は“例”の出現は、必ずしも全てが同じ実施形態又は例に言及していない。更に、特定の機構、構造、データベース、又は特徴は、１つ以上の実施形態又は例の任意の適切な組み合わせ及び／又は部分的組み合わせで組み合わせられ得る。また、本明細書で提供される図は当業者への説明目的のためのものであること、及び図面は必ずしも縮尺通りではないことは認識されるべきである。
【００４２】
本開示に従った実施形態は、装置、方法、又はコンピュータプログラム製品として具体化され得る。したがって、本開示は、全体がハードウェア構成の実施形態、全体がソフトウェア構成の実施形態（ファームウェア、常駐ソフトウェア、マイクロコード等を含む）、又は本明細書では全て一般的に“回路”、“モジュール”、若しくは“システム”と称され得るソフトウェアの側面とハードウェアの側面とを組み合わせた実施形態の形式を取り得る。更に、本開示の実施形態は、媒体に具体化されたコンピュータ使用可能プログラムコードを有する任意の有形の表現媒体で具体化されるコンピュータプログラム製品の形式を取り得る。
【００４３】
１つ以上のコンピュータ使用可能な又はコンピュータ可読の媒体の任意の組み合わせが利用され得る。例えば、コンピュータ可読媒体は、ポータブルコンピュータディスク、ハードディスク、ランダムアクセスメモリ（ＲＡＭ）デバイス、リードオンリーメモリ（ＲＯＭ）デバイス、消去可能プログラミング可能リードオンリーメモリ（ＥＰＲＯＭ若しくはフラッシュメモリ）デバイス、ポータブルコンパクトディスクリードオンリーメモリ（ＣＤＲＯＭ）、光ストレージデバイス、及び磁気ストレージデバイスの内の１つ以上を含み得る。本開示の動作を実行するためのコンピュータプログラムコードは、１つ以上のプログラミング言語の任意の組み合わせで書き込まれ得る。こうしたコードは、ソースコードから、該コードが実行されるデバイス又はコンピュータに適するコンピュータ可読のアセンブリ言語又は機械コードにコンパイルされ得る。
【００４４】
実施形態はまた、クラウドコンピューティング環境で実装され得る。この説明及び後続の請求項において、“クラウドコンピューティング”は、仮想化を介して即座にプロビジョニングされ得、最小の管理努力若しくはサービスプロバイダとの相互作用で解放され得、その後、それに応じてスケール化され得る構成可能なコンピュータ資源（例えば、ネットワーク、サーバ、ストレージ、アプリケーション、及びサービス）の共有プールへのユビキタスで便利でオンデマンドなネットワークアクセスを可能にするためのモデルとして定義され得る。クラウドモデルは、様々な特徴（例えば、オンデマンド、セルフサービス、幅広いネットワークアクセス、リソースの共用、即座の拡張性、及び測定されるサービス）、サービスモデル（例えば、Ｓｏｆｔｗａｒｅ  ａｓ  ａ  Ｓｅｒｖｉｃｅ（“ＳａａＳ”）、Ｐｌａｔｆｏｒｍ  ａｓ  ａ  Ｓｅｒｖｉｃｅ（“ＰａａＳ”）、及びＩｎｆｒａｓｔｒｕｃｔｕｒｅ  ａｓ  ａ  Ｓｅｒｖｉｃｅ（“ＩａａＳ”））、並びに実装モデル（例えば、プライベートクラウド、コミュニティクラウド、パブリッククラウド、及びハイブリッドクラウド）から構成され得る。
【００４５】
添付の図中のフロー図及びブロック図は、本開示の様々な実施形態に従ったシステム、方法、及びコンピュータプログラム製品の可能な実装のアーキテクチャ、機能、及び動作を説明する。これに関して、フロー図又はブロック図中の各ブロックは、指定された論理的機能を実装するための１つ以上の実行可能命令を含むモジュール、セグメント、又はコードの一部を表し得る。ブロック図及び／又はフロー図の各ブロック、並びにブロック図及び／又はフロー図中のブロックの組み合わせは、指定された機能若しくは活動を実施する専用のハードウェアベースのシステム、又は専用ハードウェアとコンピュータ命令との組み合わせによって実装され得ることにも留意されたい。これらのコンピュータプログラム命令はまた、コンピュータ可読媒体に格納された該命令がフロー図及び／又はブロック図の１つ以上のブロックで指定された機能／活動を実装する命令手段を含む製品を産出するように、コンピュータ又はその他のプログラミング可能なデータ処理装置に特定の方法で機能させ得るコンピュータ可読媒体に格納され得る。発明の多くの変更及びその他の実施形態は、前述の説明及び関連付けられた図面で提示された教示の利益を有する当業者に想到されるであろう。それ故、発明は、開示された特定の実施形態に限定されないこと、及び変更及び実施形態が添付の請求項の範囲内に含まれることを意図することは理解されるべきである。この発明のその他の実施形態は、本明細書に具体的には開示されない素子／ステップなしに実践され得ることも理解されるべきである。
【図１】
0006968891.tif 000002
【図２】
0006968891.tif 000003
【図３】
0006968891.tif 000004
【図４】
0006968891.tif 000005
【図５】
0006968891.tif 000006
【図６】
0006968891.tif 000007
【図７】
0006968891.tif 000008
【図８】
0006968891.tif 000009
【図９】
0006968891.tif 000010